(57)【要約】【課題】無線送信動作が撮像部に与える画像信号への影響と、撮像部の撮像動作が無線受信回路に与える通信品質への影響を完全に排除する。【解決手段】ベースバンド部５の無線タイミング制御部６は、無線送受信部７の無線送受信動作を制御し、無線送信タイミング信号により複数の通信スロットにおける無線送信動作のタイミングを把握しており、送信動作を行わない期間を示すタイミング信号を当該期間に撮影許可タイミング信号８としてカメラ制御部２に出力する。カメラ制御部２は、撮影許可タイミング信号８に基づき、無線送信動作を行わない期間のみにカメラ部１の画素スキャン動作を実行して撮影動作を行うことにより、無線送信動作とカメラ撮影動作とを時分割で行うようにする。【選択図】　図１
2004088447.tif 000002
【特許請求の範囲】
【請求項１】
被写体像を撮像する撮像手段と、
無線通信による送受信動作を行う無線通信手段と、
前記無線通信手段の送受信動作を制御し、前記無線通信手段が送信動作を行わない期間を示すタイミング信号を出力する無線タイミング制御手段と、
前記タイミング信号に基づいて前記送信動作を行わない期間のみを撮影許可期間として前記撮像手段による撮影動作を許容する撮影制御手段と、
を備えたことを特徴とする携帯通信端末。
【請求項２】
前記撮影制御手段は、前記撮影許可期間の開始時点より前記撮影動作を開始し、前記無線通信手段により次の送信動作を行う期間が到来するまでに前記撮像手段による１画面分の撮影を完了することを特徴とする請求項１に記載の携帯通信端末。
【請求項３】
被写体像を撮像する撮像手段と、
無線通信による送受信動作を行う無線通信手段と、
前記無線通信手段の送受信動作を制御し、前記無線通信手段が送信動作及び受信動作を行わない期間を示すタイミング信号を出力する無線タイミング制御手段と、
前記タイミング信号に基づいて前記送信動作及び受信動作を行わない期間のみを撮影許可期間として前記撮像手段による撮影動作を許容する撮影制御手段と、
を備えたことを特徴とする携帯通信端末。
【請求項４】
前記撮影制御手段は、前記撮影許可期間の開始時点より前記撮影動作を開始し、前記無線通信手段により次の送信動作または受信動作のいずれかを行う期間が到来するまでに前記撮像手段による１画面分の撮影を完了することを特徴とする請求項３に記載の携帯通信端末。
【請求項５】
前記無線通信手段は、所定期間毎に不連続的に時分割の送信動作及び受信動作を行う無線通信方式による通信動作を行うものであることを特徴とする請求項１〜４のいずれかに記載の携帯通信端末。
【発明の詳細な説明】
【０００１】
【発明の属する技術分野】
本発明は、撮像機能を有する携帯通信端末に関する。
【０００２】
【従来の技術】
撮像機能を有するカメラ付き携帯通信端末において、撮像部及び無線通信部で互いに及ぼす影響を軽減して画像信号や通信品質等の劣化を抑制するために、従来より種々の提案がなされている。
【０００３】
例えば、特開２００１−８６０４６号公報には、カメラ付き携帯電話装置において、着脱可能な外部アンテナと、この外部アンテナに接続された受信手段と、内蔵アンテナと内蔵アンテナに接続された受信手段とを備え、上記外部アンテナが装着されている場合に、上記外部アンテナと上記内蔵アンテナのうち、受信レベルの高い方のアンテナを、実際に使用するアンテナとして選択することで、画像伝送の際のフェージング対策を施す技術が開示されている。
【０００４】
また、従来のカメラ付き携帯通信端末では、無線送信波が撮像部の画像サンプリング部アナログ信号に与える影響により発生する画像ノイズ、あるいは、撮像部の動作クロックに起因するノイズが無線受信回路に与える影響により生じる受信性能の劣化を抑えるため、撮像部のアナログ信号部及びデジタル信号部にコンデンサを付加するか、若しくは撮像部のアナログ信号部及びデジタル信号部をシールドするなどのノイズ対策を行っていた。
【０００５】
【発明が解決しようとする課題】
しかしながら、上記特開２００１−８６０４６号公報の従来例では、複数のアンテナまたは複数の受信回路を必要とし、また、それらの動作状態を各々比較して優れた無線通信性能が得られる方のアンテナや受信回路を選択する方式を採用しており、無線通信部の無線送信波が撮像部に与える影響、あるいは撮像部が無線受信回路に与える影響を完全に排除することができないという問題点があった。
【０００６】
また、撮像部のアナログ信号部及びデジタル信号部にコンデンサを付加する、あるいは撮像部のアナログ信号部及びデジタル信号部をシールドするなどの対策部品によるノイズ対策は、付加する電子部品やシールド材料を必要とするため、携帯通信端末の小型軽量化に対する障害となるばかりでなく、コストの増大を招くという問題点があった。
【０００７】
本発明は、上記事情に鑑みてなされたもので、その目的は、対策部品を付加することなく、無線送信動作が撮像部に与える画像信号への影響と、撮像部の撮像動作が無線受信回路に与える通信品質への影響を完全に排除することができる携帯通信端末を提供することにある。
【０００８】
【課題を解決するための手段】
本発明に係る携帯通信端末は、被写体像を撮像する撮像手段と、無線通信による送受信動作を行う無線通信手段と、前記無線通信手段の送受信動作を制御し、前記無線通信手段が送信動作を行わない期間を示すタイミング信号を出力する無線タイミング制御手段と、前記タイミング信号に基づいて前記送信動作を行わない期間のみを撮影許可期間として前記撮像手段による撮影動作を許容する撮影制御手段と、を備えたことを特徴とする。
【０００９】
上記構成により、無線送信動作と撮影動作とを時分割で行うことができ、シールド部材やコンデンサなどの対策部品を追加することなく、無線送信動作が撮像手段に与える画像の乱れなどの影響を完全に排除することが可能となる。
【００１０】
また、前記撮影制御手段は、前記撮影許可期間の開始時点より前記撮影動作を開始し、前記無線通信手段により次の送信動作を行う期間が到来するまでに前記撮像手段による１画面分の撮影を完了することを特徴とする。
【００１１】
上記構成により、無線送信動作が撮像手段に与える画像の乱れなどの影響を完全に排除できるとともに、被写体画像の１画面分の撮影中に撮影動作に中断が生じないので、各画素データの時間的不連続を防止可能となる。
【００１２】
本発明に係る携帯通信端末は、被写体像を撮像する撮像手段と、無線通信による送受信動作を行う無線通信手段と、前記無線通信手段の送受信動作を制御し、前記無線通信手段が送信動作及び受信動作を行わない期間を示すタイミング信号を出力する無線タイミング制御手段と、前記タイミング信号に基づいて前記送信動作及び受信動作を行わない期間のみを撮影許可期間として前記撮像手段による撮影動作を許容する撮影制御手段と、を備えたことを特徴とする。
【００１３】
上記構成により、無線送信動作及び無線受信動作と撮影動作とを時分割で行うことができ、シールド部材やコンデンサなどの対策部品を追加することなく、無線送信動作が撮像手段に与える画像の乱れなどの影響や、撮像手段の撮影動作が無線受信動作に与える受信感度の劣化などの影響を完全に排除することが可能となる。
【００１４】
また、前記撮影制御手段は、前記撮影許可期間の開始時点より前記撮影動作を開始し、前記無線通信手段により次の送信動作または受信動作のいずれかを行う期間が到来するまでに前記撮像手段による１画面分の撮影を完了することを特徴とする。
【００１５】
上記構成により、無線送信動作が撮像手段に与える画像の乱れなどの影響や、撮像手段の撮影動作が無線受信動作に与える受信感度の劣化などの影響を完全に排除できるとともに、被写体画像の１画面分の撮影中に撮影動作に中断が生じないので、各画素データの時間的不連続を防止可能となる。
【００１６】
また、前記無線通信手段は、所定期間毎に不連続的に時分割の送信動作及び受信動作を行う無線通信方式による通信動作を行うものであることを特徴とする。
【００１７】
上記構成により、ＴＤＭＡ方式であるＧＳＭ方式、ＰＤＣ方式などの時分割の送信動作及び受信動作を行う無線通信方式に対応したカメラ付きの携帯通信端末等に適用することで、無線送受信動作と撮影動作とを時分割で行うことができ、撮像手段と無線通信手段との間での相互の悪影響を排除可能となる。
【００１８】
【発明の実施の形態】
以下、図面を参照して本発明の実施形態を説明する。
本実施形態では、動画像または静止画像の撮像機能を有するカメラ部と、ＴＤＭＡ方式等の時分割の無線通信機能を有する無線送受信部とを備えたカメラ付き携帯通信端末の構成例を示す。
【００１９】
図１は、本発明の実施形態に係る携帯通信端末の構成を示すブロック図である。本実施形態の携帯通信端末は、ＣＭＯＳセンサ等の撮像素子により被写体像を撮影して画像データを得るカメラ部１１と、前記カメラ部１１の動作を制御するカメラ制御部１２と、前記カメラ制御部１２の動作制御、及び撮影した画像データの表示、格納などを行うアプリケーション実行部１３と、無線通信用の変復調データの生成及び送受信フレーム処理を行うベースバンド部１５と、前記ベースバンド部５の動作制御及び無線通信プロトコルの管理を行う通信制御部１４と、通信電波の送受信を行う無線送受信部１７とを備えている。
【００２０】
前記カメラ制御部１２は、前記カメラ部１１がＣＭＯＳセンサからなる場合、ＣＭＯＳセンサの走査を制御することによってカメラ部１１の撮影動作を制御する。ベースバンド部１５は、無線通信のタイミングを制御する無線タイミング制御部１６を備えている。この無線タイミング制御部１６は、無線送受信部１７における無線送受信動作のタイミングを制御するもので、無線送信タイミング及び無線受信タイミングを把握しており、無線通信時の送受信フレームに応じてカメラ部１１の撮影動作を許可する撮影許可タイミング信号１８を出力する。
【００２１】
図２は、本実施形態におけるカメラ部１１がＣＭＯＳセンサにより構成される場合の撮影動作として画素のスキャン動作を示す動作説明図である。ＣＭＯＳセンサ２０は、被写体の当該箇所の輝度、色情報を取得する受光部からなる画素２１が二次元に配列されて構成される。このＣＭＯＳセンサ２０は、個々の画素２１を矢印で示す画素スキャン動作順序２２で順に輝度、色情報を取得可能なアクティブ状態とするスキャン動作を行い、被写体全体の輝度、色情報を得て画像データを生成し、撮影動作を完了する。
【００２２】
すなわち、１〜１２の合計１２つの画素からなるＣＭＯＳセンサ２０において、最初に画素１を有効にして輝度、色情報を取得し、次いで画素２を有効にして同情報を取得し、順に画素３、画素４、画素５、…と繰り返して画素１２に至ることで撮影動作を完了し、被写体を撮影した１枚の画像データを生成する。さらにこの撮影動作を繰り返すことで、連続した静止画を取得して動画像の生成を可能としている。
【００２３】
なお、図２では説明の簡単化のために合計１２つの画素によって構成されたＣＯＭＳセンサを例として示すが、実際にはカメラ部の解像度に応じて遥かに多数の画素によって構成されるのが一般的である。
【００２４】
図３は、本発明の第１実施形態に係る携帯通信端末の無線送信動作とカメラ撮影動作との時間関係を説明するタイミングチャートである。以下、図３を用いて第１実施形態における無線通信時のカメラ部１１の動作について説明する。なお、以下の実施形態では、無線送受信部１７がＧＳＭ方式による時分割の送受信動作を行う場合を示す。
【００２５】
図３において、非通信時カメラ撮影動作タイミング３１は、無線送受信部１７が無線通信を行っていない時のカメラ部１１の撮影動作として、画素スキャン動作を時間軸上で示したものである。この場合、連続的に画素１〜１２のスキャンを行って各画素の輝度及び色情報を取得する。
【００２６】
ＧＳＭ送受信スロット３２は、ＧＳＭ方式による無線送受信を行う０〜７の合計８つのタイムスロットの構成を示したものである。ここでは、ＧＳＭ送受信スロット３２における８つの無線送受信スロットのうちスロット１の位置で無線送信動作を行う場合を示す。無線送信タイミング信号３３は、ＧＳＭ送受信スロット３２のスロット１の位置で無線送信動作を行う際の送信タイミングを示したものである。図３の例では、無線送信タイミング信号３３はスロット１のタイミングでハイレベルとなる。また、撮影許可タイミング信号３４は、図１における撮影許可タイミング信号１８に相当し、無線送受信部１７が無線送信を行っていないタイミング、すなわち、カメラ部１１に対して撮影動作が可能であることを示す撮影許可タイミングを示している。図３の例では、撮影許可タイミング信号３４はスロット１のタイミングでローレベルとなり、他の期間ではハイレベルとなる。
【００２７】
通信時カメラ撮影動作タイミング３５は、前記撮影許可タイミング信号３４によって制御された通信時のカメラ部１１の画素スキャン動作を示したものである。本実施形態では、撮影許可タイミング信号３４がハイレベルの期間のみで撮影動作を行うようにする。この通信時カメラ撮影動作タイミング３５において、撮影データ破棄区間３６は、撮影許可タイミング信号３４がローレベルに変化して撮影禁止状態となったときに撮影済み画素データが破棄される期間を示し、撮影動作停止区間３７は、撮影許可タイミング信号３４がローレベルであって撮影動作が許可されずに停止している撮影禁止中の期間を示している。
【００２８】
ＧＳＭ送受信スロット３２に示すように、ＧＳＭ方式の送受信スロットの１周期分は、０から７の８つのタイムスロットから構成されており、８つの無線送受信スロットのうち、１つ以上を使用して無線送信を行う。無線タイミング制御部１６は、無線送受信部１７の無線送受信動作タイミングを制御しているので、当然ながら、無線送信タイミングを詳細に把握している。このため、上記無線送受信動作タイミングの制御に基づき、無線送信を行わないタイミングにおいて、カメラ部１１に対して撮影動作が可能であるタイミングを示す撮影許可タイミング信号３４を出力し、これをカメラ制御部１２に送出する。
【００２９】
カメラ制御部１２では、図３の通信時カメラ撮影動作タイミング３５に示すように、撮影許可タイミング信号３４がハイレベルとなっている所定の時点からカメラ部１１の画素スキャン動作を開始する。そして、無線送信タイミング信号３３がハイレベルとなり、撮影許可タイミング信号３４がハイレベルからローレベルに変化して撮影許可状態が一旦終了した時点において、そのときの画素スキャンタイミングを撮影データ破棄区間３６とし、撮影中であった画素のデータを破棄する。さらに、次の画素スキャンタイミングから再度撮影許可タイミング信号３４がハイレベルとなるまでの期間を撮影動作停止区間３７とする。すなわち、撮影許可タイミング信号３４がローレベルで撮影許可されない期間は撮影動作を停止し、再び撮影許可タイミング信号３４がハイレベルとなって撮影許可状態となるのを待つ。その後、再度撮影許可状態となると撮影動作を再開する。
【００３０】
このようにして、カメラ部１１の画素スキャン動作は、カメラ制御部１２の制御に基づき、カメラ撮影許可タイミング信号３４の状態によって開始、停止が繰り返される。そして、画素スキャン動作の再開時に、前回停止した時点でスキャンが完了していた画素の次の画素からスキャンを開始することで、結果として連続した全ての画素スキャンを行う。
【００３１】
このとき、画素スキャン停止直前にスキャンした画素データと再開直後にスキャンした画素データとの間には、撮影データ破棄区間３６及び撮影動作停止区間３７の期間に相当する時間的な不連続が生じているが、ＧＳＭ方式における１送信スロット当たりの送信時間は約４．６１５ｍｓｅｃと微小であるため、全画素データによる画面全体の画像を見た場合にも前記不連続による画像の乱れは人間の視覚上問題となるものではない。
【００３２】
このように、本実施形態では、無線送信動作と撮影動作とを時分割で行うことができ、無線送信動作がカメラ部に与える画像の乱れなどの影響を完全に排除することができる。また、カメラ部のアナログ信号部及びデジタル信号部などにコンデンサなどの対策部品を付加したり、シールド部材を設けたりすることを一切必要とせずに、カメラ部と無線送受信部との間の悪影響を排除できる。
【００３３】
図４は、本発明の第２実施形態に係る携帯通信端末の無線送受信動作とカメラ撮影動作との時間関係を説明するタイミングチャートである。以下、図４を用いて第２実施形態における無線通信時のカメラ部１１の動作について説明する。
【００３４】
図４において、図３と同様の要素については同一の符号を付しており、その動作説明は省略する。この第２実施形態では、無線送信タイミングに加えて無線受信タイミングを考慮した通信時の撮影動作を示す。図４では、ＧＳＭ送受信スロット３２における８つの無線送受信スロットのうち、スロット１の位置で無線送信動作を行い、スロット５の位置で無線受信動作を行う場合を示している。
【００３５】
無線送信タイミング信号３３は、図３と同様、ＧＳＭ送受信スロット３２のスロット１の位置で無線送信動作を行う際の送信タイミングを示している。無線受信タイミング信号４３は、ＧＳＭ送受信スロット３２のスロット５の位置で無線受信動作を行う際の受信タイミングを示したものである。図４の例では、無線受信タイミング信号４３はスロット５のタイミングでハイレベルとなる。
【００３６】
この第２実施形態では、ＧＳＭ送受信スロット３２の８つの無線送受信スロットのうち、１つ以上を使用して無線送信及び無線受信を行う。無線タイミング制御部１６は、無線送信タイミング及び無線受信タイミングを詳細に把握しており、この無線送受信動作タイミングの制御に基づき、無線送信及び無線受信を行わないタイミングにおいて、カメラ部１１に対して撮影動作が可能であるタイミングを示す撮影許可タイミング信号４４を出力し、これをカメラ制御部１２に送出する。
【００３７】
カメラ制御部１２では、図４の通信時カメラ撮影動作タイミング４５に示すように、撮影許可タイミング信号４４がハイレベルとなっている所定の時点からカメラ部１１の画素スキャン動作を開始する。そして、無線送信タイミング信号３３がハイレベルとなり、撮影許可タイミング信号４４がハイレベルからローレベルに変化して撮影許可状態が一旦終了した時点において、そのときの画素スキャンタイミングを撮影データ破棄区間３６とし、撮影中であった画素のデータを破棄する。さらに、次の画素スキャンタイミングから再度撮影許可タイミング信号４４がハイレベルとなるまでの期間を撮影動作停止区間３７とする。すなわち、撮影許可タイミング信号３４がローレベルで撮影許可されない期間は撮影動作を停止し、再び撮影許可タイミング信号３４がハイレベルとなって撮影許可状態となるのを待つ。その後、再度撮影許可状態となると撮影動作を再開する。
【００３８】
また、次に無線受信タイミング信号４３がハイレベルとなり、撮影許可タイミング信号４４がハイレベルからローレベルに変化すると、上記の無線送信タイミング時と同様に撮影動作の停止、開始を行う。このようにして、カメラ部１１の画素スキャン動作は、カメラ制御部１２の制御に基づき、カメラ撮影許可タイミング信号４４の状態によって開始、停止が繰り返される。そして、画素スキャン動作の再開時に、前回停止した時点でスキャンが完了していた画素の次の画素からスキャンを開始することで、結果として連続した全ての画素スキャンを行う。
【００３９】
このように、本実施形態では、無線送信動作及び無線受信動作と撮影動作とを時分割で行うことができ、カメラ部にシールド部材やコンデンサなどの対策部品を追加することなく、無線送信動作がカメラ部に与える画像の乱れなどの影響や、カメラ部の撮影動作が無線受信動作に与える受信感度の劣化などの影響を完全に排除することができる。
【００４０】
図５は、本発明の第３実施形態に係る携帯通信端末の無線送信動作とカメラ撮影動作との時間関係を説明するタイミングチャートである。以下、図５を用いて第３実施形態における無線通信時のカメラ部１１の動作について説明する。
【００４１】
図５において、図３と同様の要素については同一の符号を付しており、その動作説明は省略する。この第３実施形態では、カメラ部１１において高速画素スキャン動作を使用する場合の無線送信時の撮影動作を示す。図５では、ＧＳＭ送受信スロット３２における８つの無線送受信スロットのうち、スロット１の位置で無線送信動作を行う場合を示している。
【００４２】
この第３実施形態では、カメラ制御部１２は図５の通信時カメラ撮影動作タイミング５５に示すように、無線送信タイミングが終了して撮影許可タイミング信号３４がハイレベルとなった時点からカメラ部１１の画素スキャン動作を開始する。この場合、次の無線送信タイミングが到来して無線送信タイミング信号３３がハイレベルとなり、撮影許可タイミング信号３４がハイレベルからローレベルに変化するまでの期間において、撮影禁止状態となる前に１画面分の撮影動作を完了するように全画素の画素スキャン動作を行う。この撮影動作は、カメラ部１１の全画素についてスキャン動作速度を速くし、カメラ部１１の１画面分全ての画素スキャンに要する時間を、ＧＳＭ送受信スロット３２の７つ分の時間より短い時間で完了させるように高速化することで可能となる。
【００４３】
そして、画素スキャン動作が終了してから再度撮影許可タイミング信号３４がハイレベルとなって撮影許可状態となるまでの期間を撮影動作停止区間５７とし、無線送信タイミングを含めた期間において撮影動作を停止する。
【００４４】
上記動作により、カメラ部１１の画素スキャン動作は、撮影許可タイミング信号３４がハイレベルとなって撮影許可状態となることにより開始され、撮影禁止状態に移行する前に１画面分の全ての画素スキャン動作を完了し、撮影動作を停止する状態に入るようになる。このため、第３実施形態は、図３の第１実施形態と異なり、１画面分の画素スキャン中に画素スキャン動作停止による撮影データ破棄区間及び撮影動作停止区間が生じないので、画素データの時間的不連続が生じることを防止できる。
【００４５】
図６は、本発明の第４実施形態に係る携帯通信端末の無線送受信動作とカメラ撮影動作との時間関係を説明するタイミングチャートである。以下、図６を用いて第４実施形態における無線通信時のカメラ部１１の動作について説明する。
【００４６】
図６において、図４と同様の要素については同一の符号を付しており、その動作説明は省略する。この第４実施形態では、カメラ部１１において高速画素スキャン動作を使用する場合の無線送受信時の撮影動作を示す。図６では、ＧＳＭ送受信スロット３２における８つの無線送受信スロットのうち、スロット１の位置で無線送信動作を行い、スロット５の位置で無線受信動作を行う場合を示している。
【００４７】
この第４実施形態では、第３実施形態と同様、カメラ制御部１２は図６の通信時カメラ撮影動作タイミング６５に示すように、無線送信タイミングが終了して撮影許可タイミング信号４４がハイレベルとなった時点からカメラ部１１の画素スキャン動作を開始する。この場合、次の無線受信タイミングが到来して無線受信タイミング信号４３がハイレベルとなり、撮影許可タイミング信号４４がハイレベルからローレベルに変化するまでの期間において、撮影禁止状態となる前に１画面分の撮影動作を完了するように全画素の画素スキャン動作を行う。この撮影動作は、カメラ部１１の全画素についてスキャン動作速度を速くし、カメラ部１１の１画面分全ての画素スキャンに要する時間を、ＧＳＭ送受信スロット３２の３つ分の時間より短い時間で完了させるように高速化することで可能となる。
【００４８】
そして、画素スキャン動作が終了してから再度撮影許可タイミング信号４４がハイレベルとなって撮影許可状態となるまでの期間を撮影動作停止区間５７とし、無線送信タイミングを含めた期間において撮影動作を停止する。
【００４９】
また、無線受信タイミングが終了して次に無線送信タイミング信号３３がハイレベルとなり、撮影許可タイミング信号４４がハイレベルからローレベルに変化するまでの期間において、上記の無線送信タイミング後と同様に高速スキャンによる撮影動作の開始、停止を行う。
【００５０】
上記動作により、カメラ部１１の画素スキャン動作は、撮影許可タイミング信号４４がハイレベルとなって撮影許可状態となることにより開始され、撮影禁止状態に移行する前に１画面分の全ての画素スキャン動作を完了し、撮影動作を停止する状態に入るようになる。このため、第４実施形態は、図４の第２実施形態と異なり、１画面分の画素スキャン中に画素スキャン動作停止による撮影データ破棄区間及び撮影動作停止区間が生じないので、画素データの時間的不連続が生じることを防止できる。
【００５１】
なお、上述した実施形態では、無線通信方式としてＧＳＭ方式による無線送受信を行う携帯通信端末の場合を説明したが、これに限らず、所定期間毎に不連続的に送信、受信を行う時分割方式のその他の無線通信方式にも同様に適用可能である。例えば、ＴＤＭＡ方式を用いたＰＤＣ方式、ＴＤＭＡ−ＴＤＤ方式を用いたＰＨＳ方式などに適用することができる。
【００５２】
なお、本発明は上述した実施形態に何ら限定されるものではなく、その要旨を逸脱しない範囲において種々の態様で実施し得るものである。
【００５３】
【発明の効果】
以上説明したように本発明によれば、対策部品を付加することなく、無線送信動作が撮像部に与える画像信号への影響と、撮像部の撮像動作が無線受信回路に与える通信品質への影響を完全に排除することが可能な携帯通信端末を提供することができる。
【図面の簡単な説明】
【図１】本発明の実施形態に係る携帯通信端末の構成を示すブロック図
【図２】本実施形態におけるカメラ部の撮影動作としてＣＭＯＳセンサにおける画素のスキャン動作を示す動作説明図
【図３】本発明の第１実施形態に係る携帯通信端末の無線送信動作とカメラ撮影動作との時間関係を説明するタイミングチャート
【図４】本発明の第２実施形態に係る携帯通信端末の無線送受信動作とカメラ撮影動作との時間関係を説明するタイミングチャート
【図５】本発明の第３実施形態に係る携帯通信端末の無線送信動作とカメラ撮影動作との時間関係を説明するタイミングチャート
【図６】本発明の第４実施形態に係る携帯通信端末の無線送受信動作とカメラ撮影動作との時間関係を説明するタイミングチャート
【符号の説明】
１１　カメラ部
１２　カメラ制御部
１３　アプリケーション実行部
１４　通信制御部
１５　ベースバンド部
１６　無線タイミング制御部
１７　無線送受信部
１８　撮影許可タイミング信号
２０　ＣＭＯＳセンサ
２１　画素
２２　画素スキャン動作順序
３１　非通信時カメラ撮影動作タイミング
３２　ＧＳＭ送受信スロット
３３　無線送信タイミング信号
３４，４４　撮影許可タイミング信号
３５，４５，５５，６５　通信時カメラ撮影動作タイミング
３６　撮影データ破棄区間
３７，５７　撮影動作停止区間
４３　無線受信タイミング信号
【図１】
2004088447.tif 000003
【図２】
2004088447.tif 000004
【図３】
2004088447.tif 000005
【図４】
2004088447.tif 000006
【図５】
2004088447.tif 000007
【図６】
2004088447.tif 000008